(57)【要約】      （修正有）【課題】風に煽られない、あるいは、風に煽られても、容易に倒れない集水シートを提供する。【解決手段】野外で展張されて雨水を集水する集水シート１の素材を寒冷紗とする。また、集水シート１は平面形において略二等辺三角形をなし、前記略二等辺三角形の頂角の頂点２の近傍において、頂角の二等分線に対称に２個の鳩目穴７，８を有する。また、集水シート１は、前記略二等辺三角形の底辺が前記頂角の頂点２より高くなるように展張されているとともに、鳩目穴７，８は、共通する１個の金具９に連結されて、前記略二等辺三角形の頂角の頂点２の近傍において、頂角の二等分線を中心に、下方が凸になるように、Ｖ字折りされる。また、集水シート１は、前記略二等辺三角形の頂角の頂点２に鎖１０を連結して、鎖１０を頂点２の直下に垂下する。【選択図】図１
0003148967.tif 000002
【実用新案登録請求の範囲】
【請求項１】
野外で展張されて雨水を集水する集水シートにおいて、
メッシュ地で形成されてなる
ことを特徴とする集水シート。
【請求項２】
平面形において略二等辺三角形をなし、
前記略二等辺三角形の頂角の頂点の近傍において、前記頂角の二等分線に対称に２個の鳩目穴を有する
ことを特徴とする請求項１に記載の集水シート。
【請求項３】
前記略二等辺三角形の底辺が前記頂角の頂点より高くなるように展張されているとともに、
前記２個の鳩目穴は、共通する１個の金具に連結されて、
前記略二等辺三角形の頂角の頂点の近傍において、前記頂角の２等分線を中心に、下方が凸になるように、Ｖ字折りされている
ことを特徴とする請求項２に記載の集水シート。
【請求項４】
前記略二等辺三角形の頂角の頂点に線材を連結して、前記線材を前記頂点の直下に垂下している
ことを特徴とする請求項３に記載の集水シート。
【考案の詳細な説明】
【技術分野】
【０００１】
本考案は、野外で展張されて雨水を集水する集水シートに関する。
【背景技術】
【０００２】
例えば、山間の果樹園、畑、キャンプ場等、水道設備のない場所で、雨水を集水するシート状の器具が各種提案されている。
【０００３】
例えば、特許文献１は、天幕の中央部を周縁部より低くなるように形成するとともに、該中央部に集水口を設け、該集水口にホースまたはパイプを設けたテントについて、開示している。
【０００４】
また、特許文献２は、寝泊まり用のテントに、該テントの外表面を流下する雨水を貯える貯水槽を設けること、あるいは、自動車の上端部に収納されて斜め下方に引き出されて張設されるテントの下端部に、該テントの外表面を流下する雨水を受け入れることを、開示している。
【０００５】
また、特許文献３は、雨水を集める樹脂製シートの上部に網目の細かいビニール製網を縫い込んで、ゴミや枯葉等の異物が集水口に入らないようにすることを、開示している。
【０００６】
【特許文献１】特開平９−３２３５６号公報
【特許文献２】特開平１０−１８３６３号公報
【特許文献３】実用新案登録第３０９２０２５号
【考案の開示】
【考案が解決しようとする課題】
【０００７】
特許文献１ないし３に開示されたテント等の器具は、雨水を集水して貯水槽等に貯めることができるので、水道設備等のない野外で水を得る器具として大変優れている。しかしながら、特許文献１及び２に開示されたテントは、本来風雨を遮る器具であるから、防風性及び防水性を備える素材で構成されている。また、特許文献３に開示された集水シートは樹脂製シートを素材としているから、やはり防風性及び防水性を備えている。かかる素材で構成されたテント等は風に煽られて、倒れやすいという問題がある。風に煽られてテント等が倒れれば、以後の集水はできなくなるので不都合である。キャンプ等の場合であれば、人間がテント等の側にいるから、倒れたテント等を直ぐに復旧できるので、まだ良いが、例えば、山間部の果樹園等に集水シートを張りっぱなしにするような場合は特に問題である。側に人間がいないので、速やかな復旧はできないし、集水シートが風で飛ばされて、回収できない場合もあるからである。
【０００８】
本考案は、このような背景に鑑みてなされたものであり、風に煽られない、あるいは、風に煽られても、容易に倒れない集水シートを提供するものである。
【課題を解決するための手段】
【０００９】
前記課題を解決するために、本考案に係る集水シートは、野外で展張されて雨水を集水する集水シートにおいて、メッシュ地で形成されてなることを特徴とする。
【００１０】
また、前記集水シートは、平面形において略二等辺三角形をなし、前記略二等辺三角形の頂角の頂点の近傍において、前記頂角の二等分線に対称に２個の鳩目穴を有するようにしてもよい。
【００１１】
また、前記集水シートは、前記略二等辺三角形の底辺が前記頂角の頂点より高くなるように展張されているとともに、前記２個の鳩目穴は、共通する１個の金具に連結されて、前記略二等辺三角形の頂角の頂点の近傍において、前記頂角の２等分線を中心に、下方が凸になるように、Ｖ字折りされるようにしてもよい。
【００１２】
また、前記集水シートは、前記略二等辺三角形の頂角の頂点に線材を連結して、前記線材を前記頂点の直下に垂下するようにしてもよい。
【考案の効果】
【００１３】
本考案によれば、集水シートが風に吹かれても、風はメッシュ地を通り抜けるので、集水シートが風に煽られることはないし、簡単には倒れない。また集水シートの平面形を三角形に構成して、該三角形の頂点の１つをＶ字折りにして、その頂点を他の頂点よりも低くしているので、集水シートで受けた雨水をその頂点に集めることができる。またその頂点に導水鎖を連結して、前記導水鎖の下端を貯水容器の中に垂下するので、集水した雨水を確実に貯水容器に導くことができる。
【００１４】
また、副次的な効果ではあるが、集水シートを寒冷紗のような、遮光性のある素材で構成すれば、晴天時に日照を遮ることができるので、野外作業をする者に休憩用の日陰を提供することができる。また、日照を嫌う植物を保護することができる。つまり、本考案に係る集水シートは晴雨いずれの場合にも有用である。
【考案を実施するための最良の形態】
【００１５】
以下、本考案を実施するための最良の形態について説明する。
【００１６】
図１は、本考案の実施形態の一例を示す斜視図であり、集水シート１の使用状態を示すものである。集水シート１は寒冷紗を素材とするシートであり、図１に示すように、その平面形は概ね二等辺三角形をなしている。該三角形の各頂点２，３，４には展張索５が取り付けられ、展張索５は支柱６に縛着されている。また、集水シート１は、頂点３，４が頂点２よりも高くなるように、つまり前記二等辺三角形の底辺が頂角の頂点よりも高くなるように、設置されている。そのため、集水シート１が受けた雨水は、頂点２に向かって流れる。
【００１７】
また、頂点２の近傍には鳩目穴７，８が備えられ、集水シート１は鳩目穴７，８が互いに重なるように頂点２の近傍で折り曲げられて、Ｖ字形の溝を形成している（頂点２の近傍における集水シート１の折り曲げ方については、後で別の図を参照して説明する）。また、鳩目穴７，８は、金具９が係合し、金具９には展張索５が縛着される。
【００１８】
また、頂点２には鎖１０が連結され、鎖１０は真下に垂下して、その先端は貯水容器１１の中に達している。また、貯水容器１１には保持具１２が取り付けられて、鎖１０が貯水容器１１から外れないように保持している。このように構成されているので、頂点２に到達した雨水は、鎖１０を伝って貯水容器１１の中に導かれる。つまり、集水シート１が受けた雨水は貯水容器１１の中に導かれる。
【００１９】
なお、本実施形態では、頂点２に鎖１０を取り付けて、雨水を貯水容器１１に導いているが、頂点２に連結する線材は鎖１０に限られない。線材であれば、形式や素材は特に限定されない。鎖１０に替えて、繊維索や鋼索（ワイヤロープ）を頂点２に連結してもよい。なお、前記線材に鎖や鋼索を選ぶと、自重で垂下するので都合が良い。繊維索のような比較的に軽い線材を使用する場合は、その先端に適当な錘を取り付けると良い。
【００２０】
また、使用態様によっては、例えば、口の広いバケツのようなものに雨水を導く場合には、鎖１０等を取り付けないで、雨水が頂点２から自由落下するようにしてもよい。
【００２１】
また、前記略二等辺三角形の底角の頂点３，４にも、それぞれ鳩目穴１３，１４が備えられ、鳩目穴１３，１４には金具９が係合し、金具９には展張索５が縛着される。なお、鳩目穴７，８及び鳩目穴１３，１４は集水シート１に切り明けられた小穴であり、鳩目金具で補強される。
【００２２】
図２は、集水シート１を水平に拡げた状態を示す平面図である。図２に示すように、集水シート１の平面形は、二等辺三角形の頂部を僅かに切り取った形状をなし、頂点２は、該二等辺三角形の頂角の頂点に相当し、頂点３，４は底角の頂点に相当する。また、集水シート１の縁部（つまり該二等辺三角形の各辺）において、集水シート１の素材は所定の幅で折り重ねられて周縁部１５を形成している。
【００２３】
また、鳩目穴７，８は頂点２の近傍にあって、前記頂角の二等分線１６に対して、互いに対称となる位置に配置され、鳩目穴１３，１４はそれぞれ頂点３，４の近傍に配置される。また、鳩目穴７，８及び鳩目穴１３，１４はいずれも周縁部１５に配置され、周縁部１５は寒冷紗が折り重ねられているので、鳩目穴７，８及び鳩目穴１３，１４は十分な強度を備えて、展張索５の張力に耐えることができる。
【００２４】
図３は、頂点２の近傍において、集水シート１の素材を折り曲げて、周縁部１５を形成し、鳩目穴７，８を取り付けるまでの過程を示す図である。また、図４は、集水シート１を頂点２の近傍で折り曲げて、Ｖ字形の溝を形成する手順を示す図である。以下、図３及び図４を参照しながら、集水シート１の作成手順を説明する。
【００２５】
図３（ａ）に示すように、先ず、素材（寒冷紗）を所定の形状に裁断し、折り線１７及び折り線１８に沿って折り曲げて、前記素材を折り重ねて、更に縫い合せて、周縁部１５を形成する（図３（ｂ））。このように、周縁部１５では前記素材が三重に重ねられる。次に、図３（ｃ）に示すように、頂部を折り返し、さらに、頂点２の近傍の周縁部１５に、頂角の二等分線１６に対して互いに対称になるように穴を明け、鳩目金具を取り付けて、鳩目穴７，８を形成する（図３（ｄ））。
【００２６】
次に、図４（ａ）に示すように、頂点２からクリップ１９を集水シート１に差し込んで、頂角の二等分線１６に沿って取り付ける。なお、クリップ１９は鋼線をＵ字形に曲げたクリップであり、集水シート１をＵ字形に曲げた鋼線で上下に挟む。また、クリップ１９の先端には、鎖１０が取り付けられる。
【００２７】
クリップ１９を取り付けたら、集水シート１を頂角の二等分線１６に沿って谷折りする。つまり、頂角の二等分線１６がＶ字形の溝の底になるように折り曲げて、鳩目穴７，８を重ねあわせる。そして、金具９を鳩目穴７，８に通す（図４（ｂ））。
【００２８】
図５は、集水シート１の素材として使用される寒冷紗の形状を示す平面図である。この寒冷紗はビニロンとポリエステルの混紡糸からなる目の粗いメッシュ状の織物であり、目合の公称値は１．２４ｍｍである。また、この寒冷紗を構成する糸は撚りが弱く、図５に示すように、繊維の一部が網目の中に飛び出している。
【００２９】
このように、集水シート１の素材は目が粗いので、風に吹かれても、風が目の間を吹き抜けるので、風に煽られることが少ない。一方、雨水は空気に比べると粘性が大きいので、集水シート１の目を簡単に通り抜けることができない。また、表面張力の作用によって雨水は集水シート１の目の中に保持されると考えられる。そのため、集水シート１が受けた雨水は下に落ちないで、集水シート１の表面を流れて頂点２に集まる。また、集水シート１の網目の中に飛び出した繊維（図５参照）は、雨水に絡むので、雨水の保持に役立つ。また、雨水中のゴミ（砂粒、植物の破片等）は集水シート１の網目に引っかかるので、頂点２から前記ゴミ等が流れ出ることはない。つまり集水シート１はゴミよけとしても機能する。また、集水シート１の頂点２近傍の折り返し部分（図３（ｃ）参照）は素材の寒冷紗が折り重ねられて、見かけ上、目が密になるので、ゴミよけとしての機能の向上に役立つ。
【００３０】
なお、集水シート１の素材は寒冷紗には限られない。空気を通過させて、雨水を保持できるような目合を備えたメッシュ地ならば、各種の公知の素材を任意に選択することができる。
【図面の簡単な説明】
【００３１】
【図１】集水シートの使用状態を示す斜視図である。
【図２】集水シートの平面形状を示す平面図である。
【図３】集水シートの素材を加工する手順を説明する図である。
【図４】集水シートを折り曲げてＶ字溝を形成する手順を説明する図である。
【図５】集水シートの素材の形状を示す図である。
【符号の説明】
【００３２】
１  集水シート
２，３，４  頂点
５  展張索
６  支柱
７，８  鳩目穴
９  金具
１０  鎖
１１  貯水容器
１２  保持具
１３，１４  鳩目穴
１５  周縁部
１６  頂角の二等分線
１７，１８  折り線
１９  クリップ
【図１】
0003148967.tif 000003
【図２】
0003148967.tif 000004
【図３】
0003148967.tif 000005
【図４】
0003148967.tif 000006
【図５】
0003148967.tif 000007